(57)【要約】【課題】ヘッド部の周回範囲を拡大するとともに、ヘッド部の防護性を高めた磁界変調ヘッドを提供すること。【解決手段】光磁気記録媒体（光磁気ディスク４）に摺接するスライダ６を備えた磁界変調ヘッド２であって、スライダの、光磁気記録媒体の外周側に向いた側面部に設けられた突起部８、８Ａ、８Ｂと、この突起部及びスライダの側面部に接して取り付けられたヘッド部１２とを備えている。光磁気記録媒体の利用率の向上に寄与でき、スライダに対するヘッド部の固定強度が高められる。【選択図】        図１
2004303357.tif 000002
【特許請求の範囲】
【請求項１】
光磁気記録媒体に摺接するスライダを備えた磁界変調ヘッドであって、
前記スライダの、前記光磁気記録媒体の外周側に向いた側面部に設けられた突起部と、
この突起部及び前記スライダの前記側面部に接して取り付けられた磁界発生部と、
を備えてなることを特徴とする磁界変調ヘッド。
【請求項２】
前記突起部は、前記スライダの、前記光磁気記録媒体の回転方向に対向する側の側面部に設けて成ることを特徴とする請求項１記載の磁界変調ヘッド。
【請求項３】
前記突起部は、一定の間隔を設けて、前記スライダの前記側面部に形成され、これら突起部の対向面部と前記スライダの側面部とに接して前記磁界発生部を取り付けてなることを特徴とする請求項１記載の磁界変調ヘッド。
【請求項４】
前記突起部は、その下面側を前記光磁気記録媒体に摺接させるようにして成ることを特徴とする請求項１又は３記載の磁界変調ヘッド。
【発明の詳細な説明】
【０００１】
【発明の属する技術分野】
本発明は、ＭＯやＭＤ等の光磁気ディスクへの情報記録等に用いらる磁界変調ヘッドに関する。
【０００２】
【従来の技術】
光磁気ディスクの情報記録には、回転する光磁気ディスクの表面に磁界を加え、その背面側に光ビームを照射する磁界変調ヘッドが用いられる。光磁気ディスク表面の磁界強度の安定化は情報記録の信頼性を維持する上で不可欠であるが、その磁界強度は、磁界変調ヘッドの発生磁界と、磁界変調ヘッドと光磁気ディスク表面との間隔に依存する。即ち、光磁気ディスク表面の磁界強度を一定にするには、磁界変調ヘッドの発生磁界を一定とすれば、磁界変調ヘッドと光磁気ディスク表面との間隔を一定に維持することが必要となる。このような磁界変調ヘッドと光磁気ディスクの表面との間隔を一定に維持する手段として、磁界変調ヘッドを搭載したスライダが設けられているとともに、このスライダを介して磁界変調ヘッドを光磁気ディスク表面に摺接させる支持装置が用いられている。
【０００３】
また、磁界変調ヘッドから磁界を受ける光磁気ディスクにはその表面に保護膜としての樹脂コートが施されており、この樹脂コート処理は、回転する光磁気ディスクの表面に流動化した樹脂を滴下し、遠心力により膜厚処理を行なって硬化させている。このような樹脂コートの膜厚は光磁気ディスクの周縁部分で厚くなったり、部分的に突部を生じていることが指摘されているが、一般に、樹脂コートは極めて薄く形成されるので、光磁気ディスク上の膜厚変化が光磁気ディスクの信頼性に何ら影響するものではない。製品として合格品であっても周縁部に突部が発生している場合も指摘され、これは光磁気ディスクに摺接するスライダの障害物となる。このような光磁気ディスクに関し、特許文献１が存在する。
【０００４】
【特許文献１】
特開平１１−８６４８２号公報
【０００５】
この特許文献１には、シンバルばねによってヘッド本体を支持した光磁気記録用磁気ヘッドが開示されている。
【０００６】
【発明が解決しようとする課題】
ところで、このような障害物である突部が表面部に存在する光磁気ディスクにスライダを摺動させると、その突部とスライダとが干渉し、例えば、突部にスライダが衝突したり、その突部にスライダが乗り上げたりすると、スライダの摺動状態を変動させるおそれがある。このようなスライダの変動は、磁界変調ヘッドと光磁気ディスクの表面との間の間隔を変動させる原因になり、光磁気ディスクに対する磁界強度を変化させる原因になる。
【０００７】
このような不都合を回避するために、光磁気ディスクの周縁部の突部を回避して磁界変調ヘッドの周回範囲を制限することは、光磁気ディスクの利用効率を低下させ、実用性に乏しい。
【０００８】
そこで、図４に示すように、スライダ１００の側面にコア１０２及びコイル１０４を突き出すように配置することにより、光磁気ディスク１０６の利用効率を上げることが可能になる。しかし、光磁気ディスク１０６に対する記録密度及び記録速度を向上させるため、コア１０２と光磁気ディスク１０６の記録面との距離が短縮化されており、スライダ１００からコア１０２及びコイル１０４からなる磁界発生部１０８を突出させた磁界変調ヘッドでは、回転中（矢印Ｎ）の光磁気ディスク１０６の表面に付着している異物をコア１０２部分に巻き込んでしまうおそれがあり、スライダ１００からコア１０２やコイル１０４が脱落するおそれもある。係る課題は、特許文献１に開示された発明では解決することができない。
【０００９】
そこで、本発明は、磁界発生部の周回範囲を拡大するとともに、磁界発生部の防護性を高めた磁界変調ヘッドを提供することを目的とする。
【００１０】
【課題を解決するための手段】
上記目的を達成するため、本発明の磁界変調ヘッドは、光磁気記録媒体（光磁気ディスク４）に摺接するスライダ６を備えた磁界変調ヘッド２であって、前記スライダの、前記光磁気記録媒体の外周側に向いた側面部に設けられた突起部８、８Ａ、８Ｂと、この突起部及び前記スライダの前記側面部に接して取り付けられた磁界発生部１２とを備えてなるものである。
【００１１】
かかる構成とすれば、磁界発生部がスライダの外周側の側面部に設置されて光磁気記録媒体の周回範囲が拡大されるとともに、スライダの突起部と側面部との複数箇所に接して固定されるので、スライダに対する磁界発生部の固定強度が高められる。
【００１２】
上記目的を達成するためには、前記突起部は、前記スライダの、前記光磁気記録媒体の回転方向に対向する側の側面部に設けて成る構成としてもよい。かかる構成とすれば、周回上、磁界発生部がスライダの突起部によって防護される。
【００１３】
上記目的を達成するためには、前記突起部（８Ａ、８Ｂ）は、一定の間隔（ｔ）を設けて、前記スライダの前記側面部に形成され、これら突起部の対向面部と前記スライダの側面部とに接して前記磁界発生部を取り付けてなる構成としてもよい。
【００１４】
かかる構成とすれば、スライダの側面部に磁界発生部が各突起部に挟まれて固定されるので、固定箇所がスライダの側面部及び各突起部からなるので、スライダに対する磁界発生部の固定強度がより高められるとともに、周回中、各突起部によって磁界発生部が異物より防護される。
【００１５】
上記目的を達成するためには、前記突起部は、その下面側を前記光磁気記録媒体に摺接させるようにして成る構成としてよい。かかる構成とすれば、光磁気記録媒体上の異物との衝突による衝撃等から磁界発生部を防護できるとともに、磁界発生部側への異物の巻き込み等が防止される。
【００１６】
【発明の実施の形態】
（第１の実施形態）
本発明の第１の実施形態を図１を参照して説明する。図１は、第１の実施形態に係る磁界変調ヘッドを示している。
【００１７】
この磁界変調ヘッド２では、光磁気記録媒体としてＭＯやＭＤ等の光磁気ディスク４に摺接するスライダ６の側面部に突起部８が形成されている。この突起部８は、具体的にはスライダ６の、光磁気ディスク４の外周側に向いた側面部に形成されている。光磁気ディスク４の回転方向を矢印Ｎで示す方向とすれば、突起部８の先頭部にはテーパー部１０が形成されている。そして、突起部８の後面部には突起部８の壁面部とスライダ６の側面部に接して磁界発生部１２が取り付けられている。磁界発生部１２はコア１４とコイル１６を備えている。そして、突起部８の下面部１７｛図２の（Ｂ）｝は、磁界発生部１２と同様に光磁気ディスク４の記録面１９｛図２の（Ｂ）｝に摺接している。
【００１８】
かかる構成によれば、スライダ６に取り付けられた磁界発生部１２がスライダ６の外周側の側面部に設置されて光磁気ディスク４の周回範囲が拡大されるとともに、スライダ６の突起部８と側面部との複数箇所に接して固定されるので、スライダ６に対する磁界発生部１２の固定強度が高められている。
【００１９】
このような第１の実施形態に係る磁界変調ヘッド２について、その具体的な構成例を図２を参照して説明する。図２の（Ａ）は磁界変調ヘッド２の磁界発生部１２の部分、図２の（Ｂ）はＩＩＢ−ＩＩＢ線断面を示している。
【００２０】
スライダ６は例えば、セラミック材料で形成されており、係るセラミック材料の使用により、光磁気ディスク４に摺接させた際の摺動抵抗が小さく、摩擦による磨耗量を低減でき、その減少量のスペックを小さくできる。このため、コア１４の下面部２１と光磁気ディスク４の記録面１９の距離を小さく設定することができる。コア１４及びコイル１６はスライダ６の側面部と突起部８に当接するようにして取り付けられ、例えば、接着性合成樹脂１８で固着することができる。
【００２１】
このようにコア１４及びコイル１６がスライダ６に取り付けられると、スライダ６の側面部と突起部８の２箇所の面部で接合されることになり、スライダ６に対するコア１４及びコイル１６の取付け強度を増大させることができる。また、コア１４とコイル１６はスライダ６の光磁気ディスク４の外周側に取り付けられているため、光磁気ディスク４の最外周部まで記録することができ、光磁気ディスク４の利用率が高められる。
【００２２】
そして、光磁気ディスク４の回転方向を矢印Ｎに示す方向とすれば、スライダ６の突起部８は光磁気ディスク４の回転方向と対向する側に取り付けられているので、スライダ６により、光磁気ディスク４の表面の異物を除去することができ、コア１４と光磁気ディスク４表面の間に異物が巻き込まれることもない。この場合、突起部８のテーパー面１０はその異物の除去に寄与する。この結果、コア１４と光磁気ディスク４との距離を短く設定することが可能になる。
【００２３】
（第２の実施形態）
本発明の第２の実施形態を図３を参照して説明する。図３の（Ａ）は第２の実施形態に係る磁界変調ヘッドを示し、図３の（Ｂ）はその磁界発生部を示している。
【００２４】
この第２の実施形態では、スライダ６の側面部に複数の突起部として２つの突起部８Ａ、８Ｂが形成され、各突起部８Ａ、８Ｂの間隔ｔは磁界発生部１２の幅に対応している。そして、磁界発生部１２は、各突起部８Ａ、８Ｂの対向面部とスライダ６の側面部とからなる凹部の壁面部、即ち、３壁面部に接して取り付けられている。その他の構成は、第１の実施形態と同様である。
【００２５】
そして、図３の（Ｂ）に示すように、スライダ６の形状を側面に突起部８Ａ、８Ｂからなる凹部２０を有する形態とすれば、この凹部２０にコア１４及びコイル１６を挿入し、例えば、接着性合成樹脂１８を以て磁界発生部１２を固定することができる。この場合、コア１４及びコイル１６を両側から突起部８Ａ、８Ｂで支持することができ、コア１４及びコイル１６のスライダ６に対する取付け強度はより強いものとなる。
【００２６】
なお、各実施形態では、接着性合成樹脂１８で磁界発生部１２をスライダ６に固着する形態について説明したが、ネジ等の他の固着手段を用いてもよい。また、スライダ６をセラミック材料で形成することを例示したが、セラミック材料以外の材料を用いてもよい。
【００２７】
また、実施形態では光磁気ディスク等の光磁気記録媒体の磁気記録用の磁界変調ヘッドを例に取って説明したが、本発明は、各種の磁気ヘッドに適用できるものであり、実施形態に限定されるものではない。
【００２８】
【発明の効果】
以上説明したように、本発明によれば、次の効果が得られる。
ａ  磁界発生部がスライダの外周側の側面部に設置されているので、光磁気記録媒体上の周回範囲が拡大され、光磁気記録媒体の利用率の向上に寄与できるとともに、スライダの突起部と側面部との複数箇所に接して固定されるので、スライダに対する磁界発生部の固定強度を高めることができる。
ｂ  スライダの側面部に突起部を備える構成とすれば、周回上、磁界発生部をその突起部によって防護することができ、周回中の光磁気記録媒体上の異物を除去することができる。
ｃ  突起部を一定の間隔を設けてスライダの側面部に形成し、これら突起部の対向面部とスライダの側面部とに接して磁界発生部を取り付けてなる構成とすれば、スライダの側面部に磁界発生部が各突起部に挟まれて固定されるので、スライダに対する磁界発生部の固定強度がより高められるとともに、周回中、磁界発生部を各突起部で防護することができる。
ｄ  突起部をその下面側を光磁気記録媒体に摺接させるようにして成る構成とすれば、光磁気記録媒体上の異物との衝突による衝撃等から磁界発生部を防護できるとともに、磁界発生部側への異物の巻き込み等を防止できる。
【図面の簡単な説明】
【図１】本発明の第１の実施形態に係る磁界変調ヘッドを示す図である。
【図２】第１の実施形態に係る磁界変調ヘッドの具体的構成例を示し、（Ａ）は磁界発生部を示す部分平面図、（Ｂ）はそのＩＩＢ−ＩＩＢ線断面図である。
【図３】本発明の第２の実施形態に係る磁界変調ヘッドを示し、（Ａ）はその概要を示す部分平面図、（Ｂ）はその磁界発生部を示す部分平面図である。
【図４】従来の磁界変調ヘッドに改良が加えられた磁界変調ヘッドを示す図である。
【符号の説明】
２  磁界変調ヘッド
４  光磁気ディスク（光磁気記録媒体）
６  スライダ
８、８Ａ、８Ｂ  突起部
１２  磁界発生部
【図１】
2004303357.tif 000003
【図２】
2004303357.tif 000004
【図３】
2004303357.tif 000005
【図４】
2004303357.tif 000006